(57)【特許請求の範囲】
【請求項１】
（Ａ）成分：下記一般式（ａ１）で表される化合物０．０１〜２質量％と、（Ｂ）成分：シリコーン化合物０．０１〜５質量％とを含有する液体消臭剤。
【化１】
0005836185.tif 000010
［（ａ１）式中、ｎは３であり、Ｒ１は炭素数１２〜１４のアルキル基であり、Ｒ２は水素原子又は（ＣＨ２）ｍＮＨ２である。ｍは３である。］
【請求項２】
前記（Ａ）成分／前記（Ｂ）成分で表される質量比は、０．００２〜５００である請求項１に記載の液体消臭剤。
【請求項３】
さらに、（Ｃ）成分：尿素及び１，３−ジメチル尿素から選択される１種以上を含有する請求項１又は２に記載の液体消臭剤。
【請求項４】
請求項１〜３のいずれか１項に記載の液体消臭剤が容器に収納されてなる消臭剤製品。
【発明の詳細な説明】
【技術分野】
【０００１】
本発明は、消臭剤及び消臭剤製品に関する。
【背景技術】
【０００２】
人が不快に感じる臭気は多種多様であるが、例えば、汗臭は他人が苦手とする臭気の一種である。不快な臭気の消臭方法としては、（１）換気・拡散によって悪臭を希釈、除去するか、あるいはシリカゲルや活性炭等を利用して臭気を吸着させる方法（物理的消臭法）；（２）悪臭や異臭成分と化学的に反応（中和、付加、縮合、酸化等）させて無臭化する方法（化学的消臭法）；（３）芳香性物質の発する香気によって悪臭や異臭を隠蔽し感じにくくする方法（感覚的消臭法）がある。
【０００３】
従来、物理的消臭法や化学的消臭法によって、手軽に不快な臭気を消臭できる消臭剤が提案されている。例えば、シクロデキストリンを含有する組成物が提案されている（例えば、特許文献１）。特許文献１の発明によれば、シクロデキストリンに臭気成分を包接させることで、臭気の低減を図っている。
また、特定の両性界面活性剤を含有するスプレー用消臭剤組成物が提案されている（例えば、特許文献２）。特許文献２の発明によれば、両性界面活性剤を消臭成分として用いることで、汗臭及びアルデヒド類に由来する複合臭の低減を図っている。
あるいは、特定のポリヒドロキシアミン化合物及び／又はその塩を含有する消臭剤組成物が提案されている（例えば、特許文献３）。特許文献３の発明によれば、ポリヒドロキシアミン化合物を消臭成分として用いることで、汗臭及びアルデヒド類等に由来する複合臭の低減が図られている。
【先行技術文献】
【特許文献】
【０００４】
【特許文献１】特表２００３−５３３５８８号公報
【特許文献２】特開２００７−１３５８４９号公報
【特許文献３】特開２００７−１７５４０５号公報
【発明の概要】
【発明が解決しようとする課題】
【０００５】
しかしながら、消臭剤には、汗臭に対する消臭効果のさらなる向上が求められている。加えて、特許文献２〜３の発明では、消臭剤を消臭対象物にスプレーした１時間後の消臭効果が評価されているものの、即効性の面で十分なものとはいえない。
そこで、本発明は、消臭効果及びその速効性に優れる消臭剤を目的とする。
【課題を解決するための手段】
【０００６】
汗の臭気は、酸性成分、アミンやアンモニア系化合物等を含む複合臭でもあり、従来の消臭成分では十分な消臭効果を発揮できなかった。
本発明者らは、鋭意検討した結果、特定のアルキルアミンが汗臭に対する高い消臭効果を有し、かつ速効性に優れるとの知見を得た。
しかし、前記の特定のアルキルアミンは、例えば、繊維製品のような消臭対象物の表面にのみ作用し、繊維製品の内部に浸み込んだ臭気にまで作用しにくかった。
そこで、適度な親水基を持つシリコーンと前記の特定のアルキルアミンとを併用することで、繊維製品の内部まで消臭成分を速やかに浸透させて、消臭効果及びその速効性を高められることを見出し、本発明を完成するに至った。
【０００７】
即ち、本発明の消臭剤は、（Ａ）成分：下記一般式（ａ１）で表される化合物と、（Ｂ）成分：シリコーン化合物とを含有することを特徴とする。
【０００８】
【化１】
0005836185.tif 000002
【０００９】
［（ａ１）式中、ｎは２〜６の整数であり、Ｒ１は炭素数８〜１８のアルキル基であり、Ｒ２は水素原子、炭素数８〜１８のアルキル基、又は（ＣＨ２）ｍＮＨ２である。ｍは２〜６の整数である。］
前記（Ａ）成分／前記（Ｂ）成分で表される質量比は、０．００２〜５００が好ましく、さらに、（Ｃ）成分：尿素、尿素の複塩及び尿素の誘導体から選択される１種以上を含有することが好ましい。
【００１０】
本発明の消臭剤製品は、前記の本発明の消臭剤が容器に収納されてなることを特徴とする。
【発明の効果】
【００１１】
本発明の消臭剤によれば、消臭効果及びその速効性の向上が図れる。
【発明を実施するための形態】
【００１２】
（消臭剤）
本発明の消臭剤は、（Ａ）成分：下記一般式（ａ１）で表される化合物と、（Ｂ）成分：シリコーン化合物とを含有するものである。
【００１３】
【化２】
0005836185.tif 000003
【００１４】
本発明の消臭剤の剤形は、特に限定されず、例えば、水等の溶媒に（Ａ）〜（Ｂ）成分を分散させた液体製剤であってもよいし、（Ａ）〜（Ｂ）成分と賦形剤とを混合し、これを造粒した粉体等の固体製剤であってもよい。液体製剤である場合には、使用時に水で希釈して用いられる濃縮型であってもよいし、水で希釈せずに用いられるストレート型であってもよい。
【００１５】
ストレート型の液体製剤である場合、消臭剤のｐＨは、４〜１１が好ましく、７〜１０がより好ましく、７〜９がさらに好ましい。上記下限値以上であれば、消臭効果をより高められ、上記上限値以下であれば、取り扱いが容易である。
なお、ｐＨは、ｐＨメーターを用いて２５℃で測定される値である。
【００１６】
ストレート型の液体製剤である場合、消臭剤の粘度は１０ｍＰａ・ｓ以下が好ましく、５ｍＰａ・ｓ以下がより好ましい。上記上限値以下であれば、消臭対象物に消臭剤を噴霧するのが容易である。
なお、粘度は、Ｂ型粘度計（株式会社トキメック製）を用いて、２５℃で測定される数値である。
【００１７】
＜（Ａ）成分＞
（Ａ）成分は、前記（ａ１）式で表される化合物である。（Ａ）成分を含有することで、消臭剤の消臭効果を高められる。
【００１８】
（ａ１）式中、ｎは２〜６の整数であり、３が好ましい。上記範囲内であれば、優れた消臭効果を発揮できる。
【００１９】
（ａ１）式中、Ｒ１は炭素数８〜１８のアルキル基であり、消臭効果をより高める観点から、Ｒ１の炭素数は、１０〜１６が好ましく、１２〜１４がより好ましい。
Ｒ１は、直鎖状、分岐鎖状又は環状のいずれであってもよく、消臭効果をより高める観点から、直鎖状又は分岐鎖状が好ましい。
【００２０】
Ｒ２は水素原子、アルキル基、又は（ＣＨ２）ｍＮＨ２であり、中でも、消臭効果を高める観点から水素原子、（ＣＨ２）ｍＮＨ２が好ましく、（ＣＨ２）ｍＮＨ２がより好ましい。
Ｒ２がアルキル基である場合、その炭素数は８〜１８であり、消臭効果をより高める観点から、１０〜１６が好ましく、１２〜１４がより好ましい。
Ｒ２がアルキル基である場合、Ｒ２は直鎖状、分岐鎖状又は環状のいずれであってもよく、消臭効果をより高める観点から、直鎖状又は分岐鎖状が好ましい。
【００２１】
Ｒ２が（ＣＨ２）ｍＮＨ２である場合、ｍは２〜６の整数であり、３が好ましい。上記範囲内であれば、優れた消臭効果を発揮できる。
【００２２】
（Ａ）成分としては、消臭効果をより高める観点から、Ｒ１が炭素数１２のアルキル基であり、かつｎ＝３のものが好ましく、結晶性が低く、消臭剤を液体製剤とした場合に保存安定性が良好であることから、Ｒ１が炭素数１２のアルキル基、Ｒ２が（ＣＨ２）ｍＮＨ２、ｍ＝３かつｎ＝３のものがより好ましい。市販品としては、トリアミンＹ−１２Ｄ（商品名、Ｒ１が炭素数１２のアルキル基、Ｒ２が（ＣＨ２）ｍＮＨ２、ｍ＝３かつｎ＝３、ライオンアクゾ株式会社製）等が挙げられる。
（Ａ）成分は、１種単独で用いられてもよいし、２種以上が組み合わされて用いられてもよい。
【００２３】
消臭剤中の（Ａ）成分の含有量は、消臭剤の剤形等を勘案して決定される。例えば、消臭剤がストレート型の液体製剤である場合、消臭剤中の（Ａ）成分の含有量は、０．０１〜１０質量％が好ましく、０．０１〜５質量％がより好ましく、０．０５〜２質量％がさらに好ましく、０．１〜１質量％が特に好ましい。上記下限値以上であれば、消臭効果のさらなる向上を図れる。上記上限値以下であれば、液体安定性が高まると共に、（Ａ）成分の繊維製品への浸透性が高まって、消臭効果をより高められる。
【００２４】
＜（Ｂ）成分＞
（Ｂ）成分は、シリコーンである。（Ｂ）成分を含有することで、消臭対象物中への（Ａ）成分の浸透性を良好にし、内部に染み込んだ汗臭を消臭できる。加えて、消臭対象物への（Ａ）成分の浸透性が高まることから、消臭効果の即効性を高められる。特に繊維製品においては、（Ａ）成分を繊維同士の間に速やかに浸透できるため、繊維製品の内部に染み込んだ汗臭を速やかかつ効果的に消臭できる。
【００２５】
（Ｂ）成分としては、消臭対象物の材質等を勘案して決定され、消臭対象物が繊維製品であれば、繊維製品の処理に一般的に用いられるものを選択でき、例えば、ジメチルシリコーン、ポリエーテル変性シリコーン、メチルフェニルシリコーン、カルボキシ変性シリコーン、グリセリン変性シリコーン及びアミノ変性シリコーン等が挙げられる。これらの（Ｂ）成分は、１種単独で用いられてもよいし、２種以上が組み合わされて用いられてもよい。
【００２６】
（Ｂ）成分の分子構造は、直鎖状であっても分岐や架橋していてもよい。また、（Ｂ）成分の内、変性シリコーンは１種類の有機官能基により変性されていても構わないし、２種以上の有機官能基により変性されていてもよい。
（Ｂ）成分としては、（Ａ）成分を消臭対象物へ浸透させる効果をより高められることから、ポリエーテル変性シリコーンが好ましい。
【００２７】
≪ポリエーテル変性シリコーン≫
好ましいポリエーテル変性シリコーンとしては、下記一般式（ｂ１）で表される化合物が挙げられる。
【００２８】
【化３】
0005836185.tif 000004
【００２９】
（ｂ１）式中、Ｒ１０は水素又は炭素数１〜３の１価の炭化水素基である。ｐ、ｑ、ｓ及びｔは各ユニットの平均付加モル数を表す。ｐは１〜５０、好ましくは３〜３０、さらに好ましくは７〜２０である。ｑは０〜２０、好ましくは０〜１０、さらに好ましくは０〜５である。ｓは１〜４００である。ｔは１〜４０、好ましくは２〜３０、さらに好ましくは３〜２０である。なお、（ｂ１）式中における繰り返し単位の重合形態はランダム付加又はブロック付加のどちらでもよい。
【００３０】
前記（ｂ１）で示されるポリエーテル変性シリコーンは、Ｓｉ−Ｈ基を有するオルガノハイドロジェンポリシロキサンと、ポリオキシアルキレンアリルエーテルとを付加反応させる等の従来公知の方法により製造することができる。
【００３１】
ポリエーテル変性シリコーンにおける１分子当たりのポリオキシエチレン基の割合は、好ましくは２０〜８０質量％、より好ましくは２５〜８０質量％、さらに好ましくは３５〜８０質量％、特に好ましくは５０〜８０質量％である。適度に親水基を有することで、（Ａ）成分の浸透性をより高められ、消臭効果の速効性をより高められる。
また、ポリエーテル変性シリコーンにおける親水親油バランスは、「ＨＬＢ」で表すことができる。本稿の「ＨＬＢ」は、「［シリコーン化合物中のポリオキシエチレン基の質量％］÷５」で算出される値である。
このようなポリエーテル変性シリコーンとしては、例えば、東レ・ダウコーニング株式会社製のＳＨ３７７１Ｍ（ＨＬＢ＝１３）、ＳＨ３７７２Ｍ（ＨＬＢ＝６）、ＳＨ３７７３Ｍ（ＨＬＢ＝８）、ＳＨ３７７５Ｍ（ＨＬＢ＝５）が挙げられ、中でも、ＳＨ３７７１Ｍ、ＳＨ３７７２Ｍ、ＳＨ３７７３Ｍが好ましく、ＳＨ３７７１Ｍ、ＳＨ３７７３Ｍがより好ましく、ＳＨ３７７１Ｍがさらに好ましい。
【００３２】
消臭剤中の（Ｂ）成分の含有量は、消臭剤の剤形等を勘案して決定される。例えば、消臭剤がストレート型の液体製剤である場合、消臭剤中の（Ｂ）成分の含有量は、０．０１〜１０質量％が好ましく、０．０１〜５質量％がより好ましく、０．０１〜１質量％がさらに好ましく、０．０５〜０．５質量％が特に好ましい。上記下限値以上であれば、消臭対象物への（Ａ）成分の浸透性をより高められ、上記上限値以下であれば、液安定性を高められる。
【００３３】
消臭剤中、（Ａ）成分／（Ｂ）成分で表される質量比（以下、Ａ／Ｂ比ということがある）は、０．００２〜５００が好ましく、０．２〜１００がより好ましく、０．１〜５０がさらに好ましい。Ａ／Ｂ比が上記下限値以上であれば、消臭効果をより高められる。Ａ／Ｂ比が上記上限値以下であれば、消臭効果の速効性をより高められる。
【００３４】
＜（Ｃ）成分＞
本発明の消臭剤は、（Ｃ）成分：尿素、尿素の複塩及び尿素の誘導体から選択される１種以上を含有してもよく、（Ｃ）成分としては、尿素が好ましい。（Ａ）成分は、消臭剤が液体製剤である場合、その外観を黄変させたり、接触させた繊維製品を黄変させたりすることがある。そこで、（Ｃ）成分を添加することにより、（Ａ）成分に起因する黄変を防止することができる。
【００３５】
尿素の複塩としては、ＨＮＯ３・ＣＯ（ＮＨ２）２、Ｈ３ＰＯ４・ＣＯ（ＮＨ２）２、Ｈ２Ｃ２Ｏ４・２ＣＯ（ＮＨ２）２、Ｃａ（ＮＯ３）２・４ＣＯ（ＮＨ２）２、ＣａＳＯ４・４ＣＯ（ＮＨ２）２、Ｍｇ（ＮＯ３）２・ＣＯ（ＮＨ２）２・２Ｈ２Ｏ等が挙げられる。
【００３６】
尿素の誘導体としては、下記一般式（ｃ１）で表されるものが挙げられる。
【００３７】
【化４】
0005836185.tif 000005
【００３８】
［（ｃ１）式中、Ｒａは、メチル基、エチル基、又は炭素数１〜２のヒドロキシアルキル基である。Ｒｂ、Ｒｃ及びＲｄは、それぞれ独立に、水素原子、メチル基又はエチル基である。］
【００３９】
前記（ｃ１）式で表される化合物としては、１，３−ジメチル尿素、Ｎ−（２−ヒドロキシエチル）尿素等が挙げられ、中でも１，３−ジメチル尿素が好ましい。
これらの（Ｃ）成分は、１種単独で用いられてもよいし、２種以上が組み合わされて用いられてもよい。
【００４０】
消臭剤中の（Ｃ）成分の含有量は、０．０１〜５質量％が好ましく、０．０５〜３質量％がより好ましく、０．１〜２質量％がさらに好ましい。上記範囲内であれば、消臭剤の外観の黄変を効果的に抑制できる。上記下限値未満では、黄変抑制効果が不十分になるおそれがあり、上記上限値超では、液体製剤とした場合、保存中に分解物としてアンモニアが発生しやすくなり、臭気が問題となることがある。
【００４１】
＜任意成分＞
本発明の消臭剤は、（Ａ）〜（Ｃ）成分以外に、任意成分を含有できる。任意成分としては、４級アンモニウム化合物、非イオン性界面活性剤、溶媒、水溶性溶剤等が挙げられる。
【００４２】
≪４級アンモニウム化合物≫
４級アンモニウム化合物としては、下記一般式（ｄ１）で表される化合物が挙げられる。４級アンモニウム化合物を含有することで、消臭剤が消臭対象物に付着しやすくなり、消臭効果をさらに高められる。
【００４３】
【化５】
0005836185.tif 000006
【００４４】
（ｄ１）式中、Ｒ４０〜Ｒ４３は、互いに同一でも異なってもよく、それぞれ水素原子又は炭素数１〜１４の炭化水素基である。Ｒ４０〜Ｒ４３が炭化水素基である場合、直鎖もしくは分岐アルキル基又はアルケニル基であり、炭素数８〜１２が好ましい。この炭化水素基は、酸素やベンゼン環を含んでいてもよい。
Ｘは、Ｃｌ、Ｂｒ、ＣＨ３ＳＯ４又はＣ２Ｈ５ＳＯ４である。
【００４５】
前記（ｄ１）式で表される化合物としては、例えば、塩化ジデシルジメチルアンモニウム、ステアリルトリメチルアンモニウムクロライド、塩化ベンザルコニウム、塩化ベンゼトニウム等が挙げられ、中でも、消臭効果のさらなる向上を図る観点からは塩化ジデシルジメチルアンモニウム、ステアリルトリメチルアンモニウムクロライドが好ましい。これらの４級アンモニウム化合物は、１種単独で用いられてもよいし、２種以上が組み合わされて用いられてもよい。
【００４６】
消臭剤中の４級アンモニウム化合物の含有量は、消臭剤の剤形等を勘案して決定され、ストレート型の液体製剤であれば、例えば、０〜２０質量％の範囲で適宜決定され、０．０１〜２０質量％が好ましく、０．０５〜５質量％がより好ましい。上記上限値以上としても、さらなる効果の向上が図れないおそれがあるためである。
【００４７】
≪非イオン性界面活性剤≫
消臭剤は、非イオン性界面活性剤を含有することで、液体製剤における各成分の分散安定性を高めることができる。
本発明において使用できる非イオン性界面活性剤としては、炭素数１０〜２２のアルキル基又はアルケニル基を有し、オキシエチレン基の平均付加モル数が１０〜１００モルであるポリオキシエチレンアルキルエーテル、ポリオキシエチレン脂肪酸アルキル（Ｃ１〜３）エステルや、オキシエチレン基の平均付加モル数が１０〜１００モルであるポリオキシエチレンアルキルアミン、炭素数８〜１８のアルキル基又はアルケニル基を有するアルキルポリグルコシド、オキシエチレン基の平均付加モル数が２０〜１００モルである硬化ヒマシ油等が挙げられる。中でも、炭素数１０〜１４のアルキル基を有し、オキシエチレン基の平均付加モル数が５〜２０モルのポリオキシエチレンアルキルエーテル、オキシエチレン基の平均付加モル数が３０〜５０モルである硬化ヒマシ油が好ましい。
消臭剤中の非イオン性界面活性剤の含有量は、消臭剤の剤形等を勘案して決定され、ストレート型の液体製剤であれば、０．０１〜５質量％が好ましく、０．１〜３質量％がより好ましい。上記範囲内であれば、消臭剤の分散安定性を高めることができる。
【００４８】
≪水溶性溶剤≫
水溶性溶剤としては、消臭剤に一般的に使用されているものを使用することができる。「水溶性溶剤」とは任意の比率で水と混ぜて透明に混ざるものを指す。例えば、エタノール、イソプロパノール等の炭素数２〜３の１級アルコール；エチレングリコール、プロピレングリコール、ジプロピレングリコール等の炭素数２〜６のグリコール類；及びグリセリン、ジエチレングリコールモノブチルエーテル等の炭素数３〜８の多価アルコール類等が挙げられる。消臭剤の香気に及ぼす影響や価格の点から、エタノール、グリセリン、ジエチレングリコールモノブチルエーテルが好ましい。
ストレート型の液体製剤中の水溶性溶剤の含有量は、５〜３０質量％が好ましく、１０〜２０質量％がより好ましい。上記下限値未満では、消臭対象物に接触させた後、乾燥するまで時間がかかることがある。上記上限値超では、使用場所等が制限されるおそれがある。
【００４９】
上述した任意成分以外の成分としては、キレート剤、再汚染防止剤、高分子、防腐剤、抗菌剤、防カビ剤、忌避剤、天然物等のエキス、分散剤、色素、酸化防止剤、増粘剤、減粘剤、紫外線吸収剤等、従来の消臭剤に用いられるものであればよい。本発明における上記のその他の成分の配合量は、５質量％以下が好ましく、３質量％以下がより好ましい。
【００５０】
消臭対象物での微生物の増殖を抑制し、不快な臭気の発生を抑制する観点から、有機系防菌防黴剤、無機系防菌防黴剤を用いることができる。有機系防菌防黴剤としては、アルコール系、フェノール系、アルデヒド系、カルボン酸系、エステル系、エーテル系、ニトリル系、過酸化物・エポキシ系、ハロゲン系、ピリジン・キノリン系、トリアジン系、イソチアゾロン系、イミダゾール・チアゾール系、アニリド系、ビグアナイド系、ジスルフィド系、チオカーバメート系、糖質系、トロポロン系、有機金属系のものが含まれる。また、無機系防菌防黴剤としては、金属酸化物、銀系が含まれる。
また、例えば、イソプロピルメチルフェノール等の抗菌剤又は除菌剤をストレート型の液体製剤中に０．０５〜１質量％の範囲で配合することが好ましい。
【００５１】
消臭剤に含まれる各成分の保存安定性を高めるために、ｐＨ調整剤を用いてもよい。酸としては、例えば、塩酸、硫酸等の無機酸、酢酸、クエン酸等のカルボン酸が挙げられる。アルカリとしては、例えば、水酸化ナトリウム等のアルカリ金属塩、トリエタノールアミン等のアルカノールアミン等が挙げられる。
【００５２】
消臭剤は、それ自体又は消臭剤により処理された消臭対象物に香り付けをするために、香料を含有してもよい。香料としては、本発明の分野において通常使用されているいかなる香料も使用でき、例えば特開２００８−７８７２号公報に記載されているような香料成分、溶剤、安定化剤を含有する香料組成物が挙げられる。ストレート型の液体製剤中の香料組成物の含有量は、例えば、０．００５〜５質量％とされ、香り付けの効果と経済性の観点から、０．０１〜１質量％が好ましい。
【００５３】
（製造方法）
本発明の消臭剤は、剤形に応じた常法により製造される。
例えば、水溶性溶剤に、（Ｂ）成分を添加して混合後、一部の水を添加する。次いで（Ａ）成分と必要に応じて（Ｃ）成分を添加し、混合する。その後、必要に応じてｐＨ調整剤を用いてｐＨを調整した後、残りの水を添加して液体製剤である消臭剤を製造できる。
また、任意の量の水に全ての成分を一時に投入し、攪拌して、液体製剤としてもよい。
【００５４】
得られた消臭剤は、その剤形に応じた容器に収納された消臭剤製品として、流通される。
例えば、ストレート型の液体製剤を収納する容器としては、エアゾールスプレー容器、トリガースプレー容器（直圧型あるいは蓄圧型）、ディスペンサースプレー容器等のスプレー容器や、ボトル容器や詰替え用のスタンディングパウチ等、消臭剤の容器として従来公知のものが挙げられる。
エアゾールスプレー容器としては、特開平９−３４４１号公報、特開平９−５８７６５号公報等に記載されているものが挙げられる。また、噴射剤としてはＬＰＧ（液化プロパンガス）、ＤＭＥ（ジメチルエーテル）、炭酸ガス、窒素ガス等が挙げられ、これらは単独で使用されてもよく、２種以上が混合されて使用されてもよい。
トリガースプレー容器としては、特開平９−２６８４７３号公報、特開平１０−７６１９６号公報等に記載のものが挙げられる。
ディスペンサースプレー容器としては、特開平９−２５６２７２号公報等に記載のものが挙げられる。
スタンディングパウチとしては、特開２０００−７２１８１号公報に記載のものが挙げられ、例えば、内層に１００〜２５０μｍの線状低密度ポリエチレン、外層に１５〜３０μｍの延伸ナイロンを用いた二層構造のスタンディングパウチ、又は内層に１００〜２５０μｍの線状低密度ポリエチレン、中間層に１５μｍの延伸ナイロン、外層に１５μｍの延伸ナイロンを用いた三層構造のスタンディングパウチが保存安定性の点から好ましい。
濃縮型の液体製剤を収納する容器としては、スタンディングパウチやプラスチック製のボトル容器等が挙げられる。
【００５５】
（使用方法）
本発明の消臭剤の使用方法（消臭方法）は、消臭剤を消臭対象物に接触させるものである。
消臭対象物としては、特に限定されず、Ｙシャツ、Ｔシャツ、ポロシャツ、ブラウス、チノパン、スーツ、スラックス、スカート、ソファ、枕カバー、シーツ、布製の靴、トイレマット、カーテン、絨毯等の繊維製品；皮製品；床、壁等の硬質面等が挙げられ、中でも繊維製品が好ましい。本発明の消臭剤は、繊維同士の間に浸透しやすいため、繊維製品用の消臭剤として好適である。
繊維製品の素材は、特に限定されず、例えば、綿、ウール、麻等の天然繊維、ポリエステル、ナイロン、アクリル等の合成繊維、アセテート等の半合成繊維、レーヨン、テンセル、ポリノジック等の再生繊維及びこれら各種繊維の混紡品、混織品、混編品等が挙げられる。
【００５６】
消臭方法としては、例えば、固体製剤を水に溶解したり濃縮型の液体製剤を任意の濃度に希釈した希釈製剤又はストレート型の液体製剤を消臭対象物に塗布したり、希釈製剤又はストレート型の液体製剤に消臭対象物を浸漬したりし、その後、消臭対象物を風乾する等して乾燥する方法が挙げられる。中でも、家庭で消臭する際の操作の簡便性や、必要量の消臭剤を臭気が気になる部分にのみ作用させられるという経済性の点から、消臭剤をスプレー容器に収納し、消臭対象物に噴霧する方法が好ましい。
【００５７】
希釈製剤のｐＨは、４〜１１が好ましく、７〜１０がより好ましく、７〜９がさらに好ましい。上記下限値以上であれば、消臭効果をより高められ、上記上限値以下であれば、取り扱いが容易である。
希釈製剤の粘度は１０ｍＰａ・ｓ以下が好ましく、５ｍＰａ・ｓ以下がより好ましい。上記上限値以下であれば、消臭対象物に消臭剤を噴霧するのが容易である。
希釈製剤中の（Ａ）成分の含有量は、０．０１〜１０質量％が好ましく、０．０１〜５質量％がより好ましく、０．０５〜２質量％がさらに好ましく、０．１〜１質量％が特に好ましい。上記下限値以上であれば、消臭効果のさらなる向上を図れる。上記上限値以下であれば、液体安定性が高まると共に、（Ａ）成分の繊維製品への浸透性が高まって、消臭効果の速効性をより高められる。
【００５８】
消臭対象物へ消臭剤を噴霧する場合、その噴霧量は、消臭対象物の種類や付着した臭気の強度等に応じて適宜決定され、例えば、消臭対象物が繊維製品であれば、噴霧した領域における繊維製品の質量に対して好ましくは５質量％以上、より好ましくは１０質量％以上、さらに好ましくは２０質量％以上とされる。上限は好ましくは１００質量％以下、より好ましくは８０質量％以下、さらに好ましくは５０質量％以下である。噴霧量がこの範囲内にあると、消臭効果及び経済性に優れるので好ましい。
【００５９】
上述したように、本発明によれば、（Ａ）成分と（Ｂ）成分とを含有するため、消臭対象物の汗臭に対し、消臭効果及びその速効性に優れる。
【実施例】
【００６０】
以下、実施例を示して本発明を詳細に説明するが、本発明は以下の記載によって限定されるものではない。
【００６１】
（使用原料）
＜（Ａ）成分＞
Ａ−１：トリアミン（ライオンアクゾ株式会社製、商品名：トリアミンＹ−１２Ｄ）。
Ａ−２：デュオミン（ライオンアクゾ株式会社製、商品名：デュオミンＣＤ）。（ａ１）式におけるｎ＝３、Ｒ１＝ヤシ油由来（炭素数１２，１４）のアルキル基、Ｒ２＝水素原子。
【００６２】
＜（Ａ’）成分：（Ａ）成分の比較品＞
Ａ’−１：シクロデキストリン（関東化学株式会社製、試薬特級、ＡＩ＝１００質量％）。
Ａ’−２：ラウリン酸アミドプロピルジメチルアミンオキシド（川研ファインケミカル株式会社製、商品名：ソフタゾリンＬＡＯ、ＡＩ＝３０質量％）。
Ａ’−３：トリスヒドロキシメチルアミノメタン（関東化学株式会社製、試薬）
【００６３】
＜（Ｂ）成分＞
Ｂ−１：（ｂ１）式で表されるポリエーテル変性シリコーン（東レ・ダウコーニング株式会社製、商品名：ＳＨ３７７１Ｍ）。１分子当りのポリオキシエチレン基＝６５質量％、ＨＬＢ＝１３のもの。
Ｂ−２：（ｂ１）式で表されるポリエーテル変性シリコーン（東レ・ダウコーニング株式会社製、商品名：ＳＨ３７７３Ｍ）。１分子当りのポリオキシエチレン基＝４０質量％、ＨＬＢ＝８のもの。
Ｂ−３：（ｂ１）式で表されるポリエーテル変性シリコーン（東レ・ダウコーニング株式会社製、商品名：ＳＨ３７７５Ｍ）。１分子当りのポリオキシエチレン基＝２５質量％、ＨＬＢ＝５のもの。
Ｂ−４：ポリエーテル変性シリコーン。下記合成例で合成されたもの。（ｂ１）式中、ｓ＝２１０、ｔ＝９、ｐ＝１０、ｑ＝０、Ｒ１０＝ＣＨ３、１分子当りのポリオキシエチレン基＝２０質量％のもの。
【００６４】
≪合成例≫  Ｂ−４の合成
攪拌装置、凝縮機、温度計及び窒素挿入口を備えた１Ｌの４つ口フラスコに、（ＣＨ３）３ＳｉＯ｛（ＣＨ３）２ＳｉＯ｝２１０｛（ＣＨ３）ＨＳｉＯ｝９Ｓｉ（ＣＨ３）３（オルガノハイドロジェンポリシロキサン）を１００ｇ、イソプロピルアルコールを５０ｇ、ＣＨ２＝ＣＨＣＨ２Ｏ（Ｃ２Ｈ４Ｏ）１０ＣＨ３（ポリオキシエチレン化合物）を１１ｇ、付加反応用触媒塩化白金酸を０．２ｇ、２質量％酢酸ナトリウムのイソプロピルアルコール溶液を０．３ｇ投入して、これらを窒素雰囲気下、９０℃で３時間反応させた。反応終了後、溶媒を減圧留去することにより前記Ｂ−４のポリエーテル変性シリコーンを得た。
【００６５】
Ｂ−５：アミノ変性シリコーン（東レ・ダウコーニング株式会社、商品名：ＳＭ８９０４）。
Ｂ−６：ジメチルシリコーンエマルション（東レ・ダウコーニング株式会社、商品名：ＢＹ２２−０８０）。
【００６６】
＜（Ｃ）成分＞
Ｃ−１：尿素（特級、純正化学株式会社製）。
Ｃ−２：１，３−ジメチル尿素（東京化成工業株式会社製）。
【００６７】
＜その他の原料＞
≪ｐＨ調整剤≫
０．１Ｎ硫酸：関東化学株式会社製。
１Ｎ硫酸：関東化学株式会社製。
２Ｎ硫酸：関東化学株式会社製。
０．１Ｎ水酸化ナトリウム：関東化学株式会社製。
≪水溶性溶剤≫
エタノール：合成エタノール９５％（日本アルコール販売株式会社製）。
【００６８】
（評価方法）
＜消臭効果＞
≪試験用布の前処理≫
試験用布として、市販の肌シャツ（綿１００％、白色、丸首、ＢＶＤ社製）を用いた。家庭用の二槽式洗濯機（ＶＨ−３０Ｓ、東芝株式会社製）に２０℃の水道水３０Ｌを入れ、ここに市販の衣類用粉末洗剤（消臭ブルーダイヤ（商品名）、ライオン株式会社製）１５ｇを加え、よく分散させた後、試験用布５枚を投入し、１５分間洗浄した。洗剤液を排水後、試験用布を脱水機で１分間脱水し、２０℃の水道水３０Ｌで３分間濯ぐという脱水・濯ぎ工程を２度行なった後、３分間脱水しハンガーで吊り干しにて一晩風乾した。
【００６９】
≪評価方法≫
［弱い汗臭の消臭効果］
４０歳代の男性１名が、前処理を施した試験用布を着用し、晴天時にマラソンを３０分間行った。マラソン後に試験用布を回収し、背中部分及び前部分からそれぞれ７ｃｍ×７ｃｍ（０．８５ｇ／枚）を２７枚採取した（試験用布の採取処理）。採取した試験用布を弱い汗臭のモデル試験用布とした
モデル試験用布に対し、各例の消臭剤をディスペンサースプレー容器（「スタイルガード  しわもニオイもすっきりスプレー」（ライオン株式会社製）用の容器）を用いて０．２ｇ／枚噴霧し、噴霧５分後に、１０人のパネラーにより以下に示す評価基準で臭気の評価を行った。１０人のパネラーの点数の平均が３点未満のものを合格とした。平均値が低いほど、消臭効果が高いと評価できる。
【００７０】
・評価基準
５点：汗臭が非常に強い。
４点：汗臭がかなりある。
３点：汗臭がわかる。
２点：汗臭がややわかる。
１点：汗臭がかすかにわかる。
０点：まったく汗臭がしない。
【００７１】
［強い汗臭の消臭効果］
上記の［弱い汗臭の消臭効果］と同様にして、試験用布を２７枚採取し、採取した試験用布をチャック付きポリ袋に入れ一晩放置し、これを強い汗臭のモデル試験用布とした。弱い汗臭のモデル試験用布を強い汗臭の試験用布に換えた以外は、［弱い汗臭の消臭効果］と同様にして消臭効果を評価した。
【００７２】
［黄変抑制の評価］
上記の［弱い汗臭の消臭効果］を評価した後（即ち、弱い汗臭のモデル試験用布に各例の消臭剤を噴霧した後）、モデル試験用布を室温で３日間保管した。１０人のパネラーが、保管後のモデル試験用布の外観を以下の基準で目視評価した。１０人のパネラーの点数の平均値が低いほど、黄変が抑制されていると評価できる。
【００７３】
・評価基準
３点：はっきりと黄変している。
２点：やや黄変している。
１点：わずかに黄変している。
０点：変色が認められない。
【００７４】
（実施例１〜２２、比較例１〜５）
表１〜３の組成に従い、３００ｍＬビーカーにエタノールを入れ、次いで、（Ｂ）成分を入れ、マグネットスターラー（ＭＩＴＡＭＵＲＡ  ＫＯＧＹＯ  ＩＮＣ．製）を用いて攪拌した。続いて、（Ａ）成分あるいは（Ａ’）成分、及び（Ｃ）成分を加え、攪拌しながら全体量が８０質量％になるようにイオン交換水を加え、さらによく攪拌して混合溶液とした。
表中に示したｐＨとなるようにｐＨ調整剤（水酸化ナトリウム又は硫酸）を適量添加し、全体量が１００質量％になるように残りのイオン交換水を加えて、各例の消臭剤を得た。得られた消臭剤について、消臭効果及び黄変抑制を評価し、その結果を表中に示す。
ｐＨは、ｐＨメーター（ｐＨメーター型番：Ｆ−５２、ｐＨ電極型式：９６１１、株式会社堀場製作所製）を用い、２５℃に調温した試料にｐＨメーターの電極を入れ、２分後の値を読み取ることにより測定された値である。
なお、表中、各成分の含有量は、純分換算値である。
また、ｐＨ調整剤の含有量を示す「適量」とは、消臭剤を表中に示すｐＨに調整するために添加した硫酸及び／又は水酸化ナトリウムの総量を示す。イオン交換水の含有量を示す「バランス」は、最終調製物である消臭剤の総量が１００質量％となるように加えた量を示す。ｐＨ調整剤の総添加量は、０．５質量％以下であった。
【００７５】
【表１】
0005836185.tif 000007
【００７６】
【表２】
0005836185.tif 000008
【００７７】
【表３】
0005836185.tif 000009
【００７８】
表１〜３に示すように、本発明を適用した実施例１〜２２において、弱い汗臭に対する消臭効果及び強い汗臭に対する消臭効果は３点未満であった。即ち、実施例１〜２２は、モデル試験用布に噴霧後、５分間という短時間で優れた消臭効果を発揮できるものであった。
加えて、（Ｃ）成分を含有する実施例１〜１８、２０〜２２は、（Ｃ）成分を含有しない実施例１９に比べて、モデル試験用布の黄変を良好に抑制できていた。
一方、（Ａ）成分に換えて（Ａ’）成分を含有する比較例１〜３、（Ａ）成分を含有しない比較例４、（Ｂ）成分を含有しない比較例５は、いずれも消臭効果が３点以上であった。
これらの結果から、本発明を適用することで、消臭効果及びその速効性に優れた消臭剤を得られることが判った。